(57)【要約】【課題】  記録媒体をゲート式金属探知器で検知できるようにして、記録媒体の持ち出しを確実に探知し、機密情報の漏洩を防止できるようにする。【解決手段】  発信コイルによりゲート通路内に発生させた交流電磁界を受信コイルで受け、誘起される電圧の変化に基づいて金属を探知するゲート式金属探知器を部屋の出入口に設け、かつ、前記部屋内で管理される記録媒体に金属体を一体的に設けて、ゲート式金属探知器で記録媒体を検知できるようにする。記録媒体は、ＣＤ１の外周側面を囲うように金属製のショートコイル２を設けたり、ＣＤ１の外周部上下面にショートコイルを設け、該ショートコイルの両端を接続して２ターンのコイルを形成するようにしたり、ＣＤ１の表面に、同心に円形金属箔を貼り付けたりして設ける。また、ＦＤのように、記録ディスクとケースとが一体的に形成された記録媒体では、ケースの内面にショートコイルを設けてもよい。【選択図】        図１
2007035099.tif 000002
【特許請求の範囲】
【請求項１】
発信コイルによりゲート通路内に発生させた交流電磁界を受信コイルで受け、誘起される電圧の変化に基づいて金属を探知するゲート式金属探知器を部屋の出入口に設け、前記部屋内で管理される記録媒体に金属体を一体的に設けて、前記ゲート式金属探知器で前記記録媒体の通過を監視することを特徴とする記録媒体管理システム。
【請求項２】
請求項１記載の記録媒体管理システムに適用する記録媒体であって、データ記録ディスクの外周側面を囲うように金属製のショートコイルを設けたことを特徴とする記録媒体。
【請求項３】
請求項１記載の記録媒体管理システムに適用する記録媒体であって、データ記録ディスクの外周部上下面に金属製のコイルを設け、該コイルの両端を接続して一つのコイルを形成するようにしたことを特徴とする記録媒体。
【請求項４】
請求項１記載の記録媒体管理システムに適用する記録媒体であって、データ記録ディスクのデータ非記録面に金属層を設けたことを特徴とする記録媒体。
【請求項５】
請求項１記載の記録媒体管理システムに適用する記録媒体であって、データ記録ディスクと一体的に形成されたケースの内面にショートコイルを設けたことを特徴とする記録媒体。
【発明の詳細な説明】
【技術分野】
【０００１】
本発明は、機密情報を記録したＣＤ−ＲＯＭ，ＭＯディスク等の記録媒体を保管しているデータ保管室等において、記録媒体の不正な持ち出しをチェックする記録媒体管理システム及びそれに用いる記録媒体に関するものである。
【背景技術】
【０００２】
機密情報を記録したＣＤ（ＣＤ−ＲＯＭ，ＣＤ−Ｒ，ＣＤ−ＲＷ），ＭＯディスク等の記録媒体を保管しているデータ保管室，計算センター，システム開発室及び最近注目されている住基ネット資料センター等では、人の入退室を厳重に管理して、機密情報の漏洩がないようにしている。そのため、特許文献１に示されるようなゲート式金属探知器を出入口に設置して、パソコン等、大量のデータを格納して持ち運ぶことができる装置の持ち込み，持ち出しがないように常時監視している。
【特許文献１】特開平７−２１０７１８号公報
【発明の開示】
【発明が解決しようとする課題】
【０００３】
しかしながら、上記従来の管理システムでは、ＣＤ，ＭＯディスクのような記録媒体は、金属が含まれないか、含まれていてもごく僅かであるため、金属探知器では探知できず、記録媒体の持ち出しによる機密情報の漏洩を防止できないという問題点があった。
【０００４】
なお、物品の持ち出しを探知する他の方法としては、例えば、物品にセンサーのタグを貼り付けてゲートでそれを検知するようにした万引防止システムが知られている。しかしながら、その方法を適用するには、タグを直接記録媒体自体に貼り付けるのは手間が掛かる作業である上、タグを剥離されてしまえば探知不能になるという問題があって、記録媒体管理システムとしては、現時点ではカーットリジテープなど特定な記録媒体以外はほとんど使用されていない状況である。
【０００５】
本発明は、そのような問題点に鑑み、記録媒体自体に金属が含まれないか、含まれていてもごく僅かである記録媒体を金属探知器で検知できるようにして、記録媒体の持ち出しを確実に探知し、機密情報の漏洩を防止できるようにすることを目的とするものである。
【課題を解決するための手段】
【０００６】
前記課題を解決するため、請求項１に記載の記録媒体管理システムは、発信コイルによりゲート通路内に発生させた交流電磁界を受信コイルで受け、誘起される電圧の変化に基づいて金属を探知するゲート式金属探知器を部屋の出入口に設け、前記部屋内で管理される記録媒体に金属体を一体的に設けて、前記ゲート式金属探知器で前記記録媒体の通過を監視することを特徴とする。
【０００７】
また、請求項２に記載の記録媒体は、請求項１記載の記録媒体管理システムに適用する記録媒体であって、データ記録ディスクの外周側面を囲うように金属製のショートコイルを設けたことを特徴とする。
【０００８】
また、請求項３に記載の記録媒体は、請求項１記載の記録媒体管理システムに適用する記録媒体であって、データ記録ディスクの外周部上下面に金属製のコイルを設け、該コイルの両端を接続して一つのコイルを形成するようにしたことを特徴とする。
【０００９】
また、請求項４に記載の記録媒体は、請求項１記載の記録媒体管理システムに適用する記録媒体であって、データ記録ディスクのデータ非記録面に金属層を設けたことを特徴とする。
【００１０】
また、請求項５に記載の記録媒体は、請求項１記載の記録媒体管理システムに適用する記録媒体であって、データ記録ディスクと一体的に形成されたケースの内面にショートコイルを設けたことを特徴とする。
【発明の効果】
【００１１】
本発明の記録媒体管理システム及び記録媒体は、次のような効果を奏する。
すなわち、請求項１に記載の記録媒体管理システムは、発信コイルによりゲート通路内に発生させた交流電磁界を受信コイルで受け、誘起される電圧の変化に基づいて金属を探知するゲート式金属探知器を部屋の出入口に設け、前記部屋内で管理される記録媒体に金属体を一体的に設けて、前記ゲート式金属探知器で前記記録媒体の通過を監視するようにした。その結果、金属が含まれないか、含まれていてもごく僅かである記録媒体でも金属探知器で検知して、記録媒体の持ち出しを確実に探知し、機密情報の漏洩を防止できる。
【００１２】
また、請求項２に記載の記録媒体は、データ記録ディスクの外周側面を囲うように金属製のコイルを設けたので、少量の金属を付加するだけで、ゲート式金属探知器で記録媒体の検知が可能になる。
【００１３】
また、請求項３に記載の記録媒体は、データ記録ディスクの外周部上下面に金属製のコイルを設け、該コイルの両端を接続して一つのコイルを形成するようにしたので、少量の金属を付加するだけで、ゲート式金属探知器で記録媒体を高感度に検知できる。
【００１４】
また、請求項４に記載の記録媒体は、データ記録ディスクのデータ非記録面に金属層を設けたので、適量の金属を付加するだけで、ゲート式金属探知器で記録媒体の検知が可能になる。
【００１５】
また、請求項５に記載の記録媒体は、データ記録ディスクと一体的に形成されたケースの内面にショートコイルを設けたので、少量の金属を使って、ゲート式金属探知器でデータ記録ディスクとケースとが一体的に形成された記録媒体の検知が可能になる。
【発明を実施するための最良の形態】
【００１６】
以下、本発明の実施例を図面に基づいて詳細に説明する。
【実施例１】
【００１７】
本発明では、パソコン等の持ち込み、持ち出しを管理するために部屋の出入口に設けたゲート式金属探知器を利用して、前記部屋内で管理している記録媒体の持ち込み、持ち出しも監視するようにした。
【００１８】
図６は、ゲート式金属探知器を示す図である。ゲート式金属探知器は、左右両側のサイドボードS，ＳとトップボードＴとによりゲートが形成され、その中を人が通る。サイドボードS，Ｓの一方には、発信コイルＣＳＡ，ＣＳＢ，ＣＳＣが設けられ、他方には、受信コイルＣＲＡ，ＣＲＢ，ＣＲＣが設けられていて、発信コイルＣＳＡ，ＣＳＢ，ＣＳＣから交流電磁界を出して、受信コイルＣＲＡ，ＣＲＢ，ＣＲＣでそれを受ける。その状態で金属製の物品を持った人が通過すると、物品の金属により電磁場が変化し、受信コイルＣＲＡ，ＣＲＢ，ＣＲＣの誘起電圧が変化するので、それを捉えて金属製物品の探知を行う。
【００１９】
ゲートは、上下方向に三つのエリアＡ，Ｂ，Ｃに分けられており、それぞれのエリアを、発信コイルＣＳＡと受信コイルＣＲＡ，発信コイルＣＳＢと受信コイルＣＲＢ，発信コイルＣＳＣと受信コイルＣＲＣで分担させており、各エリアの検知感度は、個別に調整できるようになっている。したがって、どのような高さ位置においても、最適な金属探知ができる。なお、各エリアの検知感度の設定は、トップボードＴ内に設けた制御部で行う。
【００２０】
そのようなゲート式金属探知器では、パソコン等、比較的多量の金属を有する器具については探知できるが、ＣＤ（コンパクトディスク）のような記録媒体は、金属膜等として多少の金属は有しているが、量的にきわめて小さいため、前記ゲート式金属探知器では検知できない。そこで、本発明では、記録媒体自体に金属体を一体的に設けて、前記ゲート式金属探知器で検知できるようにした。
【００２１】
図１は、第１実施例のＣＤを示す図である。この実施例では、ＣＤ１の外周側面全周に溝を設け、その中に金属リングを埋め込んで、ショートコイル２を形成している。このＣＤ１を持ってゲート式金属探知器を通過すると、そのショートコイル２に発信コイルＣＳＡ，ＣＳＢ，ＣＳＣからの交流電磁界が鎖交する。そして、ショートコイル２に誘起電流が流れ、発信コイルＣＳＡ，ＣＳＢ，ＣＳＣからの交流電磁界を打ち消すように電流が発生する。その結果、受信コイルＣＲＡ，ＣＲＢ，ＣＲＣの誘起電圧が変化する。その変化を捉えることによりＣＤ１を検知できる。
【実施例２】
【００２２】
図２は、第２実施例のＣＤを示す図であり、図３は、第２実施例のＣＤの一部拡大図である。この実施例では、ＣＤ１の外周部上下面に上面ショートコイル３と下面ショートコイル５を設け、それらで一つのコイルを形成するように、上面ショートコイル３と下面ショートコイル５の両端を外部連結導体４と内部連結導体６で連結している。上面ショートコイル３と下面ショートコイル５は、金属箔で形成し、それらを１箇所で切断し、上面ショートコイル３の始端と下面ショートコイル５の終端とを、ＣＤ１の外側面において、外部連結導体４で連結し、上面ショートコイル３の終端と下面ショートコイル５の始端とを、ＣＤ１の端部に開けた孔を通して、内部連結導体６で接続している。そのようにして、上面ショートコイル３と下面ショートコイル５とで２ターンのコイルを形成している。このようにすれば、発信コイルＣＳＡ，ＣＳＢ，ＣＳＣからの交流電磁界と逆方向に発生する電流が、１ターンの場合より増えて、検知感度が向上する。
【００２３】
なお、上面及び下面のコイルの巻き数は、上下面各１ターンでなく、２ターンでも３ターンでもよく、その巻き数は記録媒体の大きさや厚み、コイルが形成できる空き空間により最適巻き数を選べばよい。ここで注意する事は上下のコイルの接続は巻き数が電気的に加算されるようにしなければならないことである。
【実施例３】
【００２４】
図４は、第３実施例のＣＤを示す図である。この実施例では、ＣＤ１の上面に、金属層として、ＣＤ１と同心に円形金属箔７を貼り付けている。円形金属箔７は、例えば、薄いアルミ箔で形成し、接着剤でＣＤ１の表面に貼り付ける。ＣＤ１の表側にはデータが記録されないため、円形金属箔７を貼ってもデータの記録に影響は与えない。また、薄いアルミ箔で形成しているので、重量も小さく、回転動作にも影響はない。
【００２５】
なお、金属層としては、金属箔を貼り付けたものだけでなく、金属をメッキしたものや、蒸着したもの等、適宜の方法で形成したものでもよい。ただ、金属面が大きいほど、また、厚みが厚いほど原則検知性能が上がるし、金属の材質によっても検知性能が変る。そこで、金属層の大きさや厚み、及び材質は、記録媒体の種類にあわせて最適な条件を選べばよい。また金属面の形状は使用条件を考慮すればデータ記録ディスクと同心に円形金属面を形成するのが理にかなっているが、金属層の形は、円形以外の形状でもよい。
【００２６】
このＣＤ１を持ってゲート式金属探知器を通過すると、その円形金属箔７に発信コイルＣＳＡ，ＣＳＢ，ＣＳＣからの交流電磁界が鎖交して、円形金属箔７に渦電流が流れ、発信コイルＣＳＡ，ＣＳＢ，ＣＳＣからの交流電磁界とは逆方向に電磁界が発生する。その結果、受信コイルＣＲＡ，ＣＲＢ，ＣＲＣの誘起電圧が変化する。その変化を捉えることによりＣＤ１を検知できる。また、金属箔７の材料に、鉄のような磁性体を使用すれば、上記渦電流の作用に、磁性体としての作用が加わって、上記誘起電圧の変化が大きくなり、より一層ＣＤ１を検知しやすくなる。
【実施例４】
【００２７】
図５は、第４実施例のフレキシブルディスクを示す図である。この実施例では、ディスク本体と一体的に形成されているケース８の内面に、金属箔よりなるショートコイル９を設けている。フレキシブルディスクでは、ディスク本体は機械的強度が小さくて、金属体を直接設けることはできないが、ディスク本体とケース８とが一体的になっているため、ケース８にショートコイル９を設けることにより、実施例１〜３のものと同様に、ゲート式金属探知器での検知が可能になっている。この実施例は、フレキシブルディスクと同様に、ディスク本体とケースとが一体的に形成されている他の記録媒体、例えば、ＭＯ（光磁気）ディスクにも適用できる。なお、ショートコイルは１ターンだけでなく、２ターン以上にしてもよい。
【００２８】
なお、上記実施例では、ゲート式金属探知器として、送信コイルと受信コイルとがゲートの両側に分かれて配置される方式のものを用いる場合で説明したが、それに限定されず、エコー方式と言って送信コイルと受信コイルが一体となった方式のもの等、適宜のものを用いることもできる。
【図面の簡単な説明】
【００２９】
【図１】第１実施例のＣＤを示す図である。
【図２】第２実施例のＣＤを示す図である。
【図３】第２実施例のＣＤの一部拡大図である。
【図４】第３実施例のＣＤを示す図である。
【図５】第４実施例のフレキシブルディスクを示す図である。
【図６】ゲート式金属探知器を示す図である。
【符号の説明】
【００３０】
１…ＣＤ
２…ショートコイル
３…上面ショートコイル
４…外部連結導体
５…下面ショートコイル
６…内部連結導体
７…円形金属箔
８…ケース
９…ショートコイル
【図１】
2007035099.tif 000003
【図２】
2007035099.tif 000004
【図３】
2007035099.tif 000005
【図４】
2007035099.tif 000006
【図５】
2007035099.tif 000007
【図６】
2007035099.tif 000008